(57)【要約】      （修正有）【課題】応答灯が見えやすくなる発信機を提供する。【解決手段】発信機１０は、押釦１２を有し、押釦１２が操作されると火災信号を火災受信機に出力し、火災受信機が火災信号を受信したときに出力する応答信号を受信すると点灯又は点滅する応答灯１４を有する。発信機１０は、発信機１０の周囲を囲むように発光する表示灯３０と一体に構成され、応答灯１４は、表示灯３０の色とは異なる色で発光することを特徴とする。また、表示灯３０は赤色系統で点灯又は点滅し、応答灯１４は、青色系統の色で点灯又は点滅する。【選択図】図２
2018028935.tif 000002
【特許請求の範囲】
【請求項１】
押釦を有し、該押釦が操作されると火災信号を火災受信機に出力し、前記火災受信機が前記火災信号を受信したときに出力する応答信号を受信すると点灯又は点滅する応答灯を有する発信機において、
前記発信機は、該発信機の周囲を囲むように発光する表示灯と一体に構成され、
前記応答灯は、前記表示灯の色とは異なる色で発光することを特徴とする発信機。
【請求項２】
前記表示灯は赤色系統で点灯又は点滅し、
前記応答灯は、青色系統の色で点灯又は点滅することを特徴とする請求項１記載の発信機。
【発明の詳細な説明】
【技術分野】
【０００１】
本発明は、火災受信機に火災信号を出力する発信機に関する。
【背景技術】
【０００２】
従来の火災報知設備は、火災受信機が中央監視室に設けられ、火災受信機から共通線及び信号線が配設されている。そして、火災感知器は、共通線及び信号線を介して火災受信機に接続されている。また、発信機は、共通線及び信号線を介して火災感知器と並列になるように火災受信機に接続され、さらに応答線を介して火災受信機と接続されている。（例えば、特許文献１参照）
【０００３】
一般的に、火災受信機には、発信機の操作により出力される火災信号を受信したことを表示する発信機灯が設けられている。発信機灯は赤色に点灯又は点滅することによって表示される。なお、発信機は人為的に操作されるため、発信機が操作される時は火災である確率が高く、発信機が操作されたことを瞬時に判断するために発信機灯は点灯又は点滅する。（例えば、特許文献２参照）
【０００４】
一方、発信機には、発信機の操作により出力される火災信号を火災受信機が受信したことを表示する応答灯が設けられている。応答灯は赤色に点灯又は点滅することによって表示される。（例えば、特許文献３参照）
【先行技術文献】
【特許文献】
【０００５】
【特許文献１】特開平６−２８２７７１号公報
【特許文献２】特開平５−２８２５６７号公報
【特許文献３】実開平５−０６４９９３号公報
【発明の概要】
【発明が解決しようとする課題】
【０００６】
しかしながら、発信機は、本体が赤色で構成されているため、応答灯が赤色で点灯したときに、視認しづらいと感じる虞があった。また、発信機の設置されている付近には、発信機の位置を知らせるために赤色に発光する表示灯が設置されており、表示灯の赤色発光によって、赤色に点灯する応答灯が視認しづらくなる虞があった。
【０００７】
本発明は、このような従来の問題に鑑みてなされたもので、応答灯が見えやすくなる発信機を提供することを目的とする。
【課題を解決するための手段】
【０００８】
本発明は、押釦を有し、該押釦が操作されると火災信号を火災受信機に出力し、火災受信機が火災信号を受信したときに出力する応答信号を受信すると点灯又は点滅する応答灯を有する発信機において、発信機は、該発信機の周囲を囲むように発光する表示灯と一体に構成され、応答灯は、表示灯の色とは異なる色で発光することを特徴とするものである。
【発明の効果】
【０００９】
本発明は、発信機の応答灯の色と表示灯の発光している色とが異なっているため、応答灯が点灯又は点滅していることが視認しやすくなる。
【図面の簡単な説明】
【００１０】
【図１】本発明の実施の形態に係る火災報知設備の概略構成図である。
【図２】本発明の実施の形態に係る表示灯及び発信機の構成図である。
【図３】本発明の実施の形態に係る表示灯の断面図である。
【発明を実施するための形態】
【００１１】
本発明の実施の形態に係る火災報知設備について、図１乃至図３に基づいて以下に説明する。図１は、本発明の実施の形態に係る火災報知設備１の概略構成図である。図２は、本発明の実施の形態に係る表示灯３０及び発信機１０の構成図である。図３は、本発明の実施の形態に係る表示灯３０の断面図である。
【００１２】
火災報知設備１は、ビル等の建物の各部屋等に設置される火災感知器２０と、各階における各部分からの距離が所定の距離以下となるように設置される発信機１０と、火災感知器２０及び／又は発信機１０から出力される火災信号を受信して警報をする火災受信機２とからなる。
【００１３】
火災受信機２は、Ｐ型受信機であり、共通線Ｃ及び信号線Ｌを介して１個又は複数の火災感知器２０が接続される。また、火災受信機２は、共通線Ｃ及び信号線Ｌに加えて応答線Ａを介して１個又は複数の発信機１０が接続される。一般的に、Ｐ型火災受信機とは、共通線Ｃ及び信号線Ｌからなる感知器回線に接続されている火災感知器２０及び／又は発信機１０の電気的な接点が閉じることにより起こる感知器回線の電圧等の電気的な変化（火災信号）に基づいて火災を判断するものである。なお、本実施の形態では火災受信機２をＰ型受信機として説明するが、火災受信機２はこれだけに限られず、例えば、Ｒ型受信機でも良い。
【００１４】
火災受信機２は、火災信号を受信したときに火災を音声で報知するための図示しないスピーカや、該スピーカから発する音響を停止するための音響停止スイッチ４、各種情報を表示する各種表示灯６及び地区窓８が設けられている。
【００１５】
各種表示灯６は、火災感知器２０が火災信号を出力して、火災受信機２側で蓄積していることを示す表示灯や、火災発生を示す表示灯、発信機１０が操作されて火災信号が出力されたことを示す発信機灯６ａ等、異常を示す複数の表示灯からなる。発信機灯６ａを除く各種表示灯６は、赤色系統の色（赤色や橙色）で点灯又は点滅し、火災又は異常等を報知する。発信機灯６ａは、発信機灯６ａを除く各種表示灯６とは異なる色、つまり赤色系統以外の色で点灯又は点滅する。具体的には、発信機灯６ａは、例えば青色や青緑色のような青色系統の色で点灯又は点滅する。
【００１６】
火災感知器２０は、火炎によって生じる熱、煙、炎などを検出すると、共通線Ｃ及び信号線Ｌからなる感知器回線を介して火災受信機２に火災を検知した旨の信号である火災信号を出力する。なお、火災感知器２０の火災信号とは、例えば、火災感知器２０のスイッチング動作によって感知器回線のインピーダンスを小さくするものである。
【００１７】
発信機１０は、本体１１が赤色で構成され、透光性を有する黒色系統の樹脂等の板からなる押釦１２を有する。発信機１０は、押釦１２に連動する図示しないスイッチが設けられており、押釦１２を押下すると、押釦１２に連動してスイッチが閉じて、共通線Ｃ及び信号線Ｌが短絡すると共に、共通線Ｃ及び応答線Ａが短絡する。発信機１０は、これら短絡による電圧等の変化を火災信号として火災受信機２に出力する。
【００１８】
発信機１０の押釦１２の背面側には、ＬＥＤ等からなる応答灯１４が設けられている。応答灯１４は、火災受信機２が火災信号を受信したときに出力する応答信号を発信機１０が受信したときに、点灯又は点滅する表示灯である。なお、応答信号とは、例えば、火災受信機２が火災信号を受信したときにリレーを閉じることによる、共通線Ｃ及び応答線Ａからなる発信機回線の電圧等の電気的な変化のことである。
【００１９】
発信機１０が応答信号を受信して応答灯１４が点灯又は点滅すると、透光性を有する押釦１２を通して視認することができる。応答灯１４は、発信機１０の本体１１とは異なる色、つまり赤色系統以外の色で点灯又は点滅する。具体的には、応答灯１４は青色や青緑色のような青色系統の色で点灯又は点滅する。即ち、応答灯１４と発信機灯６ａは同系色で構成される。
【００２０】
なお、本発明に係る実施の形態では、押釦１２が黒色系統の透光性を有し、押釦１２の背面に設置される応答灯１４が青色系統のＬＥＤであると説明したが、押釦１２を通して視認できる応答灯１４の色が青色系統であれば良く、例えば、押釦１２が青色系統の透光性を有し、応答灯１４が白色系統のＬＥＤで構成されても良い。
【００２１】
ここで、従来より、発信機１０付近には発信機の位置を表示する表示灯が設けられ、常時、赤色に発光している。一般的に、表示灯は発信機１０付近で壁面から突出して設けられる略円錐状の形状からなる。このような一般的な表示灯（図示なし）を有する火災報知設備１においても、本発明を適用できることは言うまでもないが、本実施の形態では、そのような一般的な表示灯ではなく、発信機１０と一体的に構成される表示灯３０を、発信機の位置を表示する表示灯として説明する。
【００２２】
表示灯３０は発信機収容部３２を有し、該発信機収容部３２に発信機１０を収容している。発信機１０を収容した状態で、表示灯３０は壁面Ｗの背面から固定される。表示灯３０は、発信機収容部の周囲、即ち発信機１０を収容した場合における発信機１０の周囲が発光部３４となっており、発光部の背面側にはＬＥＤ等の発光素子３６が設けられた基板３８が組み込まれている。表示灯３０の発光部は発信機１０の周囲を囲むようにリング状に発光し、発信機１０の位置が分かりやすくなっている。表示灯３０の発光部は赤色で点灯又は点滅する。即ち、表示灯３０は応答灯１４の色とは異なる色で発光している。
【００２３】
上記のような構成を持つ火災報知設備１の火災時における動作の説明を、図１乃至図３に基づいて、以下に説明する。
先ず、火災時に、発信機１０の操作者は発信機１０の押釦１２を押下する。すると、共通線Ｃ及び信号線Ｌが短絡すると共に、共通線Ｃ及び応答線Ａが短絡し、そのことによる共通線Ｃ及び信号線Ｌ並びに共通線Ｃ及び応答線Ａのインピーダンスが小さくなり、これを火災受信機２が火災信号として受信する。即ち、発信機１０の押釦１２が押下されると、発信機１０から火災信号が出力されて、その火災信号を火災受信機２が受信する。
【００２４】
次に、火災受信機２は、発信機１０から出力された火災信号を受信すると、各種表示灯６のうち、火災発生を示す赤色で発光する表示灯を点灯又は点滅させると共に、青色系統の色で発光する発信機灯６ａを点灯又は点滅させる。そして、火災受信機２は、火災信号を受信したことを示す応答信号を発信機１０に出力する。
【００２５】
最後に、発信機１０は、火災受信機２から出力される応答信号を受信すると、青色系統の色で発光する応答灯１４を点灯又は点滅させる。
【００２６】
本発明の実施の形態に係る火災報知設備１は、上記のような構成及び動作をするため、以下のような効果を有する。
火災報知設備１では、火災受信機２における発信機灯６ａの色と、発信機灯６ａ以外の各種表示灯６の色とが異なっているため、発信機灯６ａが視認しやすく、発信機１０が操作されたときには、火災受信機２の盤面を見れば瞬時に発信機１０が操作されたと判断することができる。
【００２７】
また、発信機１０の応答灯１４の色と、発信機１０の本体１１の色及び表示灯３０の発光している色とが異なっているため、応答灯１４が点灯又は点滅していることが視認しやすくなる。
【００２８】
また、発信機灯６ａと応答灯１４の色とを同系色に統一したため、火災受信機２又は操作された発信機１０のいずれかを見ても、直感的に発信機１０が操作されたことが分かりやすくなる。
【００２９】
また、発信機灯６ａ及び応答灯１４が青色系統で発光するため、ユニバーサルデザイン、いわゆるカラーバリアフリーとなっており、重要な表示灯である発信機灯６ａ及び応答灯１４を色覚偏位者も視認しやすくなる。
【符号の説明】
【００３０】
１    火災報知設備
２    火災受信機
４    音響停止スイッチ
６    各種表示灯
６ａ  発信機灯
８    地区窓
１０    発信機
１１    本体
１２    押釦
１４    応答灯
２０    火災感知器
３０    表示灯
３２    発信機収容部
３４    発光部
３６    発光素子
３８    基板
Ａ    応答線
Ｃ    共通線
Ｌ    信号線
Ｗ    壁面
【図１】
2018028935.tif 000003
【図２】
2018028935.tif 000004
【図３】
2018028935.tif 000005